(57)【要約】 【課題】  ドアの開施錠作業とドアや壁に取り付けたＩＣタグのデータ書き込みおよび読み取り動作にて、作業ミスの発生を防止した、また作業履歴が取れる非接触ＩＣタグリーダライタおよび鍵データの読み出し方法を得る。【解決手段】  作業履歴に関するデータを、非接触ＩＣタグから、非接触にて書き込み、および読み出しを行う非接触ＩＣタグリーダライタにおいて、前記非接触ＩＣタグリーダライタのリーダライタ用アンテナが、開施錠作業にかかわる鍵６ａ，６ｂ，６ｃを束ねるキーリング７内に配置された非接触ＩＣタグリーダライタとする。【選択図】  図１
2006171988.tif 000002
【特許請求の範囲】
【請求項１】
作業履歴に関するデータを、非接触ＩＣタグから非接触にて書き込み、および読み出しを行う非接触ＩＣタグリーダライタにおいて、前記非接触ＩＣタグリーダライタのリーダライタ用アンテナが、開施錠作業にかかわる複数個の鍵を束ねるキーリング内に配置されたことを特徴とする非接触ＩＣタグリーダライタ。
【請求項２】
作業履歴に関するデータを、非接触ＩＣタグから非接触にて書き込み、および読み出しを行う非接触ＩＣタグリーダライタにおいて、前記非接触ＩＣタグリーダライタのリーダライタ用アンテナとリーダライタ制御部とが、前記開施錠作業にかかわる複数個の鍵を束ねる、キーリング内に配置されたことを特徴とする非接触ＩＣタグリーダライタ。
【請求項３】
前記リーダライタ用アンテナはループアンテナとすることを特徴とする請求項１または２のいずれかに記載の非接触ＩＣタグリーダライタ。
【請求項４】
前記リーダライタ用アンテナはダイポ−ルアンテナとすることを特徴とする請求項１または２のいずれかに記載の非接触ＩＣタグリーダライタ。
【請求項５】
前記リーダライタ用アンテナはマイクロストリップアンテナとすることを特徴とする請求項１または２のいずれかに記載の非接触ＩＣタグリーダライタ。
【請求項６】
前記非接触ＩＣタグリーダライタにおいて、キーリングに取り付ける鍵が前記アンテナ部と重ならないように錠取り付け部材が配されていることを特徴とする請求項１または２のいずれかに記載の非接触ＩＣタグリーダライタ。
【請求項７】
前記非接触ＩＣタグリーダライタにおいて、ドアの開施錠動作を行うことで、ドアの鍵穴の下に取り付けられた非接触ＩＣタグのデータを自動的に書き込みおよび読み出しが可能なことを特徴とする請求項１または２のいずれかに記載の非接触ＩＣタグリーダライタ。
【請求項８】
前記非接触ＩＣタグは、ドアあるいは壁、あるいは床に配置されていることを特徴とする請求項１または２のいずれかに記載の非接触ＩＣタグリーダライタ。
【請求項９】
開施錠作業に関するデータを非接触ＩＣタグリーダライタを用いて非接触にて書き込み、および読み出しを行うデータの書き込み読み出し方法において、前記非接触ＩＣタグリーダライタのリーダライタ用アンテナを、前記開施錠作業にかかわる複数個の鍵を束ねるキーリングの中に収納し、前記リーダライタ用アンテナが収納された前記キーリングの平面方向が、開施錠作業にかかわるドアに配置されたＩＣタグの平面方向と平行に面して通信できるようにし、ドアの開施錠動作を行うことで、ドアの一部、ドアの近傍またはドアの鍵穴の近傍に取り付けた非接触ＩＣタグのデータを自動的に書き込みおよび読み出しを行なうことを特徴とするデータの書き込み読み出し方法。
【請求項１０】
開施錠作業に関するデータを非接触ＩＣタグリーダライタを用いて非接触にて書き込み、および読み出しを行うデータの書き込み読み出し方法において、前記非接触ＩＣタグリーダライタのリーダライタ用アンテナと制御部を、前記開施錠作業にかかわる複数個の鍵を束ねるキーリングの中に収納し、前記リーダライタアンテナが収納された前記キーリングの少なくとも一面が、開施錠作業にかかわるドアに配置されたＩＣタグの平面方向と平行に面して通信できるようにし、ドアの開施錠動作を行うことで、ドアの一部、ドアの近傍またはドアの鍵穴近傍に取り付けた非接触ＩＣタグのデータを自動的に書き込みおよび読み出しを行なうことを特徴とするデータの書き込み読み出し方法。
【発明の詳細な説明】
【技術分野】
【０００１】
本発明は、非接触でデータの書き込みおよび読み出しを行う非接触ＩＣタグリーダライタおよびこれを用いたデータの書き込み読み出し方法に関する。
【背景技術】
【０００２】
近年、電磁結合方式、電磁誘導方式、または電波方式等により非接触でデータの書き込みおよび読み出しを行うデータキャリア、ＲＦＩＤ（Radio  Frequency  Identification）、無線タグ、またはＩＣタグと呼称される通信媒体が普及しつつある。
【０００３】
この種の非接触ＩＣタグ（以下、ＩＣタグと称す）および非接触ＩＣタグリーダライタ（以下、リーダライタと称す）の用途の一つとして、ビル管理・警備・ホームセキュリティーサービスなどで巡回を行った際の履歴をとる用途がある。作業履歴を取るために使用されるリーダライタは、ハンディターミナル型、ＰＤＡ（Personal  Digital  Assistance／個人向け携帯型情報機器）取り付け型などがあり、ＩＣタグにリーダライタをかざしてデータの書き込みおよび読み取り動作を行っている。
【０００４】
図６は、従来の非接触ＩＣタグリーダライタの説明図である。図６は、ＰＤＡ取り付け型を示していて、１３はＰＤＡ（個人向け携帯型情報機器）であり、１２はリーダライタ用アンテナであり、３５は非接触ＩＣタグである。ここで、前記ＰＤＡのリーダライタ用アンテナ１２の上面と、非接触ＩＣタグ３５の底面とを接近させ、データの読みとりと書き込みが行なわれる。
【０００５】
また、図７は、従来の他の例の非接触ＩＣタグリーダライタ説明図である。図７は、ハンディターミナル型リーダライタを示していて、１４はハンディターミナル型非接触ＩＣタグリーダライタであり、３６は非接触ＩＣタグである。ここで、前記ハンディターミナル型非接触ＩＣタグリーダライタ１４の内部に実装されているリーダライタアンテナの面とＩＣタグを接近させ、データの読みとりと書き込みが行なわれる。
【０００６】
特許文献１には、第１のＲＦＩＤタグと、非接触で交信するリーダライタアンテナとを、設けた手袋によって、対象物に配置された第２のＲＦＩＤタグとの間にて、データの読み出し、書き込みを行う方法が記載されている。
【０００７】
【特許文献１】特開２００２−３５２２００号公報
【発明の開示】
【発明が解決しようとする課題】
【０００８】
ＰＤＡやハンディターミナル型非接触ＩＣタグリーダライタを用い、ドアの開施錠作業とドアや壁に取り付けたＩＣタグのデータ書き込みおよび読み取り動作を行う場合、この二動作がオフライン化されているため、作業ミスが発生すると作業履歴が取れないという問題があった。
【０００９】
本発明の目的は、ドアの開施錠作業とドアや壁に取り付けたＩＣタグのデータ書き込みおよび読み取り動作にて、作業ミスの発生を防止した、また作業履歴が取れる非接触ＩＣタグリーダライタおよび鍵データの読み出し方法を得ることである。
【課題を解決するための手段】
【００１０】
本発明は、リーダライタのアンテナをキーリングに取り付け可能とし、付属部品の必要なく鍵を取り付けてもアンテナに重ならず、且つＩＣタグの読み取りが容易となるよう平行となる構成とし、上記課題を解決しようとするものである。即ち、本発明は、非接触でデータの書き込みおよび読み出しが可能な非接触ＩＣタグリーダライタにおいて、リーダライタアンテナが鍵を取り付けるキーリングと一体型になっている非接触ＩＣタグリーダライタである。
【００１１】
即ち、本発明は、作業履歴に関するデータを、非接触ＩＣタグから非接触にて書き込み、および読み出しを行う非接触ＩＣタグリーダライタにおいて、前記非接触ＩＣタグリーダライタのリーダライタ用アンテナが、開施錠作業にかかわる複数個の鍵を束ねるキーリング内に配置された非接触ＩＣタグリーダライタである。
【００１２】
また、本発明は、作業履歴に関するデータを、非接触ＩＣタグから非接触にて書き込み、および読み出しを行う非接触ＩＣタグリーダライタにおいて、前記非接触ＩＣタグリーダライタのリーダライタ用アンテナとリーダライタ制御部とが、前記開施錠作業にかかわる複数個の鍵を束ねるキーリング内に配置された非接触ＩＣタグリーダライタである。
【００１３】
また、本発明は、前記リーダライタ用アンテナをループアンテナとする非接触ＩＣタグリーダライタである。 
【００１４】
また、本発明は、前記リーダライタ用アンテナをダイポ−ルアンテナとする非接触ＩＣタグリーダライタである。
【００１５】
また、本発明は、前記リーダライタ用アンテナをマイクロストリップアンテナとする非接触ＩＣタグリーダライタである。    
【００１６】
また、本発明は、前記非接触ＩＣタグリーダライタにおいて、キーリングに取り付ける鍵が前記アンテナ部と重ならないように錠取り付け部が配されている非接触ＩＣタグリーダライタである。
【００１７】
また、本発明は、前記非接触ＩＣタグリーダライタにおいて、ドアの開施錠動作を行うことで、ドアの鍵穴の下に取り付けられた非接触ＩＣタグのデータを自動的に書き込みおよび読み出しが可能な非接触ＩＣタグリーダライタである。
【００１８】
また、本発明は、前記非接触ＩＣタグがドアあるいは壁、あるいは床に配置されている非接触ＩＣタグリーダライタである。
【００１９】
また、本発明は、開施錠作業に関するデータを非接触ＩＣタグリーダライタを用いて非接触にて書き込み、および読み出しを行うデータの書き込み読み出し方法において、前記非接触ＩＣタグリーダライタのリーダライタ用アンテナを、前記開施錠作業にかかわる複数個の鍵を束ねるキーリングの中に収納し、前記リーダライタ用アンテナが収納された、前記キーリングの少なくとも一面が、開施錠作業にかかわるドアに配置されたＩＣタグの平面方向と平行に面して通信できるようにし、ドアの開施錠動作を行うことで、ドアの一部、ドアの近傍またはドアの鍵穴近傍に取り付けた非接触ＩＣタグのデータを自動的に書き込みおよび読み出しを行なうデータの書き込み読み出し方法である。
【００２０】
また、本発明は、開施錠作業に関するデータを非接触ＩＣタグリーダライタを用いて非接触にて書き込み、および読み出しを行うデータの書き込み読み出し方法において、前記非接触ＩＣタグリーダライタのリーダライタ用アンテナと制御部を、前記開施錠作業にかかわる複数個の鍵を束ねるキーリングの中に収納し、前記リーダライタアンテナが収納された前記キーリングの少なくとも一面が、開施錠作業にかかわるドアに配置されたＩＣタグの平面方向と、平行に面して通信できるようにし、ドアの開施錠動作を行うことで、ドアの一部、ドアの近傍またはドアの鍵穴近傍に取り付けた非接触ＩＣタグのデータを自動的に書き込みおよび読み出しが行われるデータの書き込み読み出し方法である。
【発明の効果】
【００２１】
本発明によれば、アンテナが鍵を取り付けるキーリングと一体型形状、かつ鍵と一緒に取り付けてもアンテナに重ならないような構成とすることで、鍵がリーダライタアンテナに重ならないためのストッパーを必要とせずキーリングに取り付け可能とし、作業者が開施錠するためキーを鍵穴に近づけることで、無意識のうちにＩＣタグのデータ書き込みおよび読み取りすることができ、作業者のデータ書き込みおよび読み取り動作に依存することなく作業履歴を取ることが可能となる非接触ＩＣタグリーダライタが提供可能となる。
【００２２】
本発明によれば、ドアの開施錠作業とドアや壁に取り付けたＩＣタグのデータ書き込みおよび読み取り動作にて、作業ミスの発生を防止した、また作業履歴が取れる非接触ＩＣタグリーダライタおよび鍵データの読み出し方法が提供できる。
【発明を実施するための最良の形態】
【００２３】
本発明の非接触ＩＣタグリーダライタは、作業履歴に関するデータを、非接触ＩＣタグから、非接触にて書き込み、および読み出しを行う非接触ＩＣタグリーダライタであって、前記非接触ＩＣタグリーダライタのリーダライタ用アンテナが、前記開施錠作業にかかわる複数個の鍵を束ねるキーリング内に配置されている。ここで、前記リーダライタ用アンテナは、ループアンテナであるか、ダイポ−ルアンテナであるか、またはマイクロストリップアンテナのいずれかを選択するのが好ましいが、それ以外でも良い。  
【００２４】
また、本発明は、作業履歴に関するデータを非接触ＩＣタグから、非接触にて書き込み、および読み出しを行う非接触ＩＣタグリーダライタであって、前記非接触ＩＣタグリーダライタのリーダライタ用アンテナとリーダライタ制御部とが、前記開施錠作業にかかわる複数個の鍵を束ねるキーリング内に配置されている。ここで、前記リーダライタ用アンテナは、ループアンテナであるか、ダイポールアンテナであるか、またはマイクロストリップアンテナのいずれかが選択されるが、前記以外のアンテナでも使用可能である。  
【００２５】
また、本発明は、前記非接触ＩＣタグリーダライタにおいて、キーリングに取り付ける鍵がアンテナ部へ重ならないように前記リーダライタアンテナ、あるいは前記リーダライタアンテナとリーダライタ制御部との周辺に錠取り付け部が配置されている非接触ＩＣタグリーダライタである。
【００２６】
また、本発明は、前記非接触ＩＣタグリーダライタにおいてドアの開施錠動作を行うことで、ドアの鍵穴の近傍に取り付けられた非接触ＩＣタグのデータを自動的に書き込みおよび読み出しが可能な非接触ＩＣタグリーダライタである。
【実施例１】
【００２７】
以下、本発明について図面を参照しながら詳述する。図１は、本発明の実施例１による非接触ＩＣリーダライタの説明図である。また、図２は、本発明の実施例１による非接触ＩＣリーダライタの使用方法を示す図である。
【００２８】
図１は、本発明のリーダライタの平面図を示していて、キーリング７と一体型になっているプレート板２は、鍵６ａ，６ｂ，６ｃと一緒に取り付けられている。ここで、プレート板２には、リーダライタ用アンテナ２ａが配置されている。リーダライタ用アンテナ２ａ部分へキーリング７の金属部が重なってしまうと、同調ずれによる通信距離の低下などが発生し、ＩＣタグと正常に通信できなくなる可能性がある。
【００２９】
そのため、鍵６ａ，６ｂ，６ｃは、リーダライタ用アンテナ２ａへ重ならないように、リーダライタ用アンテナ部の外周部に配されたキーリング７へ装着されている。鍵６ａ，６ｂ，６ｃのいずれか一つを使用しようとした場合、使用する鍵６ａはキーリング７の上部、残りの鍵６ｂ，６ｃは全てキーリング７の下部に移動するため、リーダライタ用アンテナ２ａに重なることはない。
【００３０】
図２に示すように、リーダライタ制御部４はリーダライタ用アンテナ２ａと任意の長さのケーブル５で接続され、作業者の腰やポケットなど邪魔にならない位置に収納される。また、リーダライタ制御部４には、データの書き込み・読み出しを行った内容を保存するためのデータのメモリ機能、データ書き込み・読み出しを行ったことを知らせるためのブザー・ＬＥＤ・液晶などが搭載されている。リーダライタは、パソコンとＲＳ−２３２Ｃ、ＵＳＢ，イーサーネットなどのインタフェースを使用して接続可能であり、保存したデータを読み出すことができる。
【００３１】
図５は、本発明のＩＣタグ３０の平面図であり、内部にアンテナコイル８０およびＩＣチップ９０からなる状態を示している。本発明の実施例で説明するＩＣタグ３０は、プラスチック材料を用い、熱プレス成形またはラミネート成形により、アンテナコイル８０およびＩＣチップ９０を内部に埋設して製造される。ここで、前記プラスチック材料としては、ポリ塩化ビニール（ＰＶＣ）が用いられ、その他、ポリエチレンテレフタート（ＰＥＴ）でも良い。
【００３２】
ここで、図２において、ＩＣタグ３は、ドアの鍵穴下部に取り付けている。なお、実用に際しては下部が望ましいが、鍵穴近傍であれば左右、上下でもよい。また、キーリング７一体型のリーダライタアンテナ２は、鍵６と一緒に取り付けられている。ドアの開施錠動作を行うために鍵６をドアの鍵穴近辺に近づけた時、ＩＣタグ３とリーダライタアンテナ２が平行に近い位置となり、データの書き込み・読み出しが行うことができる。この時、書き込み・読み出しを行った内容はリーダライタ制御部４のメモリに記憶され、ブザー・ＬＥＤ・液晶などを使用してデータの書き込み・読み出しを行ったことを作業者１に知らせる。
【００３３】
また、本実施例は、ドアにＩＣタグを貼り付けて使用しているが、これに限らず、壁や床に取り付けて使用した場合でも、本発明が適用可能である。
【実施例２】
【００３４】
図３は、本発明の実施例２による非接触ＩＣリーダライタの説明図である。また、図４は、本発明の実施例２による非接触ＩＣリーダライタの使用方法を示す図である。キーリング７１と一体型になっているリーダライタ１０は、鍵６１ａ，６１ｂ，６１ｃと一緒に取り付けられている。ここで、リーダライタ１０は、プレート板２１とリーダライタ制御部４１とで構成されている。プレート板２１には、リーダライタ用アンテナ２１ａが配置されている。
【００３５】
リーダライタ１０へ鍵６１ａ，６１ｂ，６１ｃの金属部が重なってしまうと、同調ずれによる通信距離の低下などが発生し、ＩＣタグと正常に通信できなくなる可能性があるため、鍵６１ａ，６１ｂ，６１ｃがリーダライタ１０へ重ならないように、リーダライタ１０はキーリング７１に囲まれた部分に構成されている。鍵６１ａ，６１ｂ，６１ｃの一つを使用しようとした場合、使用する鍵６１ａは、キーリング７１の上部、残りの鍵６１ｂ，６１ｃは、全てキーリング７１の下部に移動するため、リーダライタ１０に重なることはない。これにより、既存のキーリングの取り付けも可能となる。
【００３６】
また、リーダライタ制御部４１にはデータの書き込み・読み出しを行った内容を保存するためのデータのメモリ機能、データ書き込み・読み出しを行ったことを知らせるためのブザー・ＬＥＤ・液晶などが搭載されている。リーダライタはパソコンとＲＳ−２３２Ｃ、ＵＳＢ，イーサーネットなどのインタフェースを使用して接続可能であり、保存したデータを読み出すことができる。
【００３７】
図５は、本発明のＩＣタグ３０の平面図であり、内部にアンテナコイル８０およびＩＣチップ９０からなる状態を示している。本発明の実施例で説明するＩＣタグ３０は、ポリ塩化ビニール（ＰＶＣ）やポリエチレンテレフタート（ＰＥＴ）等のプラスチック材料を用い、熱プレス成形またはラミネート成形により、アンテナコイル８０およびＩＣチップ９０を内部に埋設して製造される。
【００３８】
図４は、本発明の使用方法について示している。ＩＣタグ３１はドアの鍵穴下部に取り付けている。また、キーリング一体型のリーダライタ１０は鍵と一緒に取り付けられている。ドアの開施錠動作を行うために鍵をドアの鍵穴近辺に近づけた時、ＩＣタグ３１とリーダライタ１０が平行に近い位置となり、データの書き込み・読み出しが行うことができる。この時、書き込み・読み出しを行った内容はリーダライタ制御部４１のメモリに記憶され、ブザー・ＬＥＤ・液晶などを使用してデータの書き込み・読み出しを行ったことを作業者１に知らせる。
【００３９】
また、本実施例は、ドアにＩＣタグ３１を貼り付けて使用しているが、これに限らず、壁や床に取り付けて使用した場合でも本発明の技術が適用可能である。
【図面の簡単な説明】
【００４０】
【図１】本発明の実施例１による非接触ＩＣリーダライタの説明図。
【図２】本発明の実施例１による非接触ＩＣリーダライタの使用方法を示す図。
【図３】本発明の実施例２による非接触ＩＣリーダライタの説明図。
【図４】本発明の実施例２による非接触ＩＣリーダライタの使用方法を示す図。
【図５】本発明の非接触ＩＣリーダライタにて使用するＩＣタグの平面図。
【図６】従来の非接触ＩＣリーダライタの説明図。
【図７】従来の他の例の非接触ＩＣリーダライタの説明図。
【符号の説明】
【００４１】
１    作業者
２，２１    プレート板  
２ａ，２１ａ    リーダライタ用アンテナ
３，３０，３１    ＩＣタグ
４，４１    リーダライタ制御部
５    ケーブル
６ａ，６ｂ，６ｃ，６１ａ，６２ｂ，６１ｃ    鍵
７，７１    キーリング
８，８０    アンテナコイル
９，９０    ＩＣチップ
１０    リーダライタ
１３    ＰＤＡ
１４    ハンディターミナル型非接触ＩＣタグリーダライタ
３５，３６    非接触ＩＣタグリーダライタ
【図１】
2006171988.tif 000003
【図２】
2006171988.tif 000004
【図３】
2006171988.tif 000005
【図４】
2006171988.tif 000006
【図５】
2006171988.tif 000007
【図６】
2006171988.tif 000008
【図７】
2006171988.tif 000009